(57)【特許請求の範囲】
【請求項１】
被検者眼の眼底を照明するための眼底照明光学系と、
光源から出射された光で前記眼底にフォーカス指標を投影するためのフォーカス指標投影光学系と、
光軸方向に移動可能なフォーカシングレンズと、前記眼底に投影された前記フォーカス指標を撮像可能な撮像素子とを備える眼底撮像光学系と、
を備える眼底撮影装置であって、
前記撮像素子によって撮像された前記フォーカス指標に基づいて被検眼に対する前記眼底撮像光学系のフォーカス状態を検出する検出手段と、
前記検出手段の検出結果に基づいて生成される電子的なインジケータと、前記撮像素子によって撮像された前記フォーカス指標と、を同時にモニタへ表示するための制御手段と、を備え、
前記撮像素子は、さらに、前記フォーカス指標を含む眼底像を撮像可能であり、
前記制御手段は、前記電子的なインジケータを、前記フォーカス指標を含む前記眼底像に重ねて表示することを特徴とする眼底撮影装置。
【請求項２】
請求項１の眼底撮影装置であって、
前記制御手段は、前記検出手段による検出結果に基づき、合焦状態と合焦していない状態とで、前記インジケータの表示状態を切換えることを特徴とする眼底撮影装置。
【請求項３】
請求項１または２の眼底撮影装置であって、
前記制御手段は、前記検出手段による検出結果に基づき、合焦状態と合焦していない状態とで、前記インジケータを形成する少なくとも１部の図柄の色を変えることを特徴とする眼底撮影装置。
【請求項４】
請求項１〜３の何れか一項の眼底撮影装置であって、
前記フォーカシングレンズを駆動する駆動手段を備え、
前記制御手段は、前記検出手段の検出結果に基づいて前記駆動手段の駆動を制御し、前記眼底に対してオートフォーカスを行うことを特徴とする眼底撮影装置。
【請求項５】
請求項１〜４の何れか一項の眼底撮影装置であって、
前記フォーカス指標は、前記フォーカシングレンズが移動されることで前記眼底上での合致状態が調節される一対の光学的なスプリット指標であり、
一対の前記スプリット指標が合致されたとする前記撮像素子上の位置を基準位置として記憶する記憶手段を有し、
前記検出手段は前記スプリット指標の少なくとも一方のスプリット指標が撮像される前記撮像素子上の位置と前記基準位置とを比較することにより前記合致状態を検出することを特徴とする眼底撮影装置。
【発明の詳細な説明】
【技術分野】
【０００１】
本発明は、被検者眼の眼底を撮影する眼底撮像装置に関する。
【背景技術】
【０００２】
従来、被検者眼の眼底を撮影する眼底撮像装置は、眼底にフォーカスを合わせるためのフォーカシングレンズを備え、フォーカシングレンズを光軸方向に移動させることで、眼底に対するフォーカス合わせを手動で行い、このような眼底のフォーカス状態を眼底に投影される光学的に一対のスプリット指標の合致状態で確認している（例えば、特許文献１参照）。
また、眼底に投影されたスプリット指標の検出結果に基づいて、モニタ上に擬似的な指標を電子的に表示させることで、フォーカス状態をより確認し易くした構成のものが知られている（例えば、特許文献２参照）。
【先行技術文献】
【特許文献】
【０００３】
【特許文献１】特開２００２‐１２５９３３号公報
【特許文献２】国際公開２００９‐０９３６４１号公報
【発明の概要】
【発明が解決しようとする課題】
【０００４】
しかしながら、モニタに表示された光学的又は電子的なスプリット指標を用いて手動にてフォーカス状態を調節する場合には、スプリット指標の合致位置は、検者による見た目で判断されるため、個人差等による誤差が含まれる可能性が高くなる。
【０００５】
本発明は、上記従来技術の問題点に鑑み、手動操作において、眼底に対するフォーカス合わせをより精度良く行なうことのできる眼底撮影装置を提供することを技術課題とする。
【課題を解決するための手段】
【０００６】
上記課題を解決するために、本発明は以下のような構成を備えることを特徴とする。
【０００７】
（１）  被検者眼の眼底を照明するための眼底照明光学系と、光源から出射された光で前記眼底にフォーカス指標を投影するためのフォーカス指標投影光学系と、光軸方向に移動可能なフォーカシングレンズと、前記眼底に投影された前記フォーカス指標を撮像可能な撮像素子とを備える眼底撮像光学系と、を備える眼底撮影装置であって、前記撮像素子によって撮像された前記フォーカス指標に基づいて被検眼に対する前記眼底撮像光学系のフォーカス状態を検出する検出手段と、前記検出手段の検出結果に基づいて生成される電子的なインジケータと、前記撮像素子によって撮像された前記フォーカス指標と、を同時にモニタへ表示するための制御手段と、を備え、前記撮像素子は、さらに、前記フォーカス指標を含む眼底像を撮像可能であり、前記制御手段は、前記電子的なインジケータを、前記フォーカス指標を含む前記眼底像に重ねて表示することを特徴とする。
【発明の効果】
【０００８】
本発明によれば、手動操作において、眼底に対するフォーカス合わせをより精度良く行なうことのできる眼底撮影装置を提供できる。
【発明を実施するための形態】
【０００９】
以下、本発明の実施形態を図面に基づき説明する。図１は眼底カメラの外観構成の説明図である。眼底カメラは、基台１と、基台１に対して左右方向（Ｘ方向）及び前後（作動距離、Ｚ方向）に移動可能な移動台２と、移動台２の上面に設けられた操作パネル２ａと、移動台２に対して３次元方向に移動可能に設けられ，後述する光学系が収納された撮影部（装置本体）３と、撮影部３を被検者眼に対して三次元（ＸＹＺ）方向に移動させる駆動部６と、被検者の顔を支持するために基台１に固設された顔支持ユニット５と、撮影部３の検者側に傾斜可能に設けられた表示部（モニタ）８と、から構成される。モニタ８には被検者眼の前眼部の観察像及び眼底の観察（撮影）像が表示される。また、本実施形態では、眼底の観察時に、フォーカス状態を検者に示すための光学的な（又は電子的な）スプリット指標と、スプリット指標を合致状態に導くためのインジケータとが眼底像上に重ねてモニタ８に表示されるようになっている。なお、スプリット指標及びインジケータについての詳細な説明は後述する。
【００１０】
ここで、図２に操作パネル２ａの構成の説明図を示す。操作パネル２ａには、移動台２を基台１上で被検者眼Ｅに対してＸＺ方向に移動させるためのジョイスティック４と、モニタ８上に表示されたスプリット指標の合致状態をマニュアル操作で調節するためのフォーカスノブ９と、固視標の呈示パターンや呈示位置を、標準撮影又は眼底の周辺撮影などに応じて変更するための内部固視標呈示スイッチ１１等の各種操作部材が設けられている。なお、ここでのフォーカスノブ９は右方向（矢印Ａ方向）と左方向（矢印Ｂ方向）に回転可能に設けられている。また、このようなフォーカスノブ９の回転方向は後述するインジケータの表示方向に合わせて決定されており、検者がインジケータを確認しながらフォーカスノブ９を操作することで、後述するフォーカシングレンズ等の光学部材を光軸方向に移動させることができ、フォーカス状態を示すスプリット指標を簡単に精度良く合致させることができるようになっている。
【００１１】
次に、撮影部３の内部に設けられた光学系及び制御系の構成について説明する。図３は眼底カメラの光学系及び制御系の概略構成図である。光学系は、照明光学系１０、被検者眼の眼底の観察・撮影を行う眼底観察・撮影光学系３０、被検者眼の眼底にスプリット指標（フォーカス指標）を投影するためのスプリット指標投影光学系４０、被検者眼の前眼部にアライメント用指標光束を投影するアライメント指標投影光学系５０、被検者眼の前眼部を撮影する前眼部観察光学系６０、被検者眼の視線を誘導するための固視標呈示光学系７０から構成されている。
【００１２】
＜照明光学系＞  照明光学系１０は、観察照明光学系と撮影照明光学系を有する。観察照明光学系は、近赤外光の光束を照射する赤外光源１１、近赤外光を透過する赤外フィルタ１２、コンデンサレンズ１３、コンデンサレンズ１３とリングスリット１７との間に配置されたダイクロイックミラー１６、リング状の開口を有するリングスリット１７、リレーレンズ１８、ミラー１９、中心部に黒点を有する黒点板２０、リレーレンズ２１、孔あきミラー２２、光路分岐部材としてのダイクロイックミラー（波長選択ミラー）２４、対物レンズ２５を有する。これにより、赤外光源１１からの赤外の光束により被検者眼の眼底が照明される。一方、撮影照明光学系は、フラッシュランプ，ＬＥＤ等の可視光を照射する撮影光源１４、コンデンサレンズ１５、リングスリット１７から孔あきミラー２２までの光学系と対物レンズ２５を備え、撮影光源１４からの可視光束により被検者眼の眼底が照明される。
【００１３】
なお、ダイクロイックミラー１６は、赤外光を反射し可視光を透過する特性を持つ。また、ダイクロイックミラー２４は、観察照明光学系の赤外光源からの波長を透過し、後述するアライメント指標投影光学系５０からの赤外光を反射する波長特性を有する。また、ダイクロイックミラー２４は、ソレノイドとカム等により構成される挿脱機構６６により光路から挿脱可能に斜設されており、観察照明光学系を用いた眼底の観察時には光路に斜設され、撮影照明光学系による眼底の撮影時には光路から外されるようになっている。
【００１４】
＜眼底観察・撮影光学系＞  眼底観察・撮影光学系３０は、眼底観察光学系と眼底撮影光学系とを有する。眼底観察光学系は、対物レンズ２５、孔あきミラー２２の開口近傍に位置する撮影絞り３１、光軸方向に移動可能なフォーカシングレンズ３２、結像レンズ３３、眼底撮影時には挿脱機構３９により光路から挿脱可能な跳ね上げミラー３４を備える。また、跳ね上げミラー３４の反射方向の光路には、赤外光反射・可視光透過の特性を有するダイクロイックミラー３７、リレーレンズ３６、赤外域に感度を有する観察用の二次元撮像素子３８が配置されており、赤外光源１１で照明された眼底が撮影されるようになっている。一方、眼底撮影光学系は、対物レンズ２５と，撮影絞り３１から結像レンズ３３までの光学系を眼底観察光学系と共用する。また、眼底撮影光学系は、可視域に感度を有する撮影用二次元撮像素子３５を備え、可視光源１４で照明された眼底が撮影される。なお、撮影絞り３１は対物レンズ２５に関して被検者眼Ｅの瞳孔と略共役な位置に配置される。また、フォーカシングレンズ３２は、モータを備える駆動機構４９にて光軸方向に移動される。
【００１５】
以上のような構成の照明光学系と眼底観察・撮影光学系によって、眼底の観察時に、赤外光源１１を発した光束は、赤外フィルタ１２からリレーレンズ２１を経て、孔あきミラー２２に達する。そして、孔あきミラー２２で反射された光が、ダイクロイックミラー２４を透過し、対物レンズ２５により被検者眼Ｅの瞳孔付近で一旦収束した後、拡散して被検者眼Ｅの眼底を照明する。一方、眼底からの反射光は、対物レンズ２５、ダイクロイックミラー２４、孔あきミラー２２の開口部、撮影絞り３１、フォーカシングレンズ３２、結像レンズ３３、跳ね上げミラー３４、ダイクロイックミラー３７、リレーレンズ３６を介して撮像素子３８に結像する。また、眼底の撮影時には、可視光源１１で照明された眼底からの反射光が、対物レンズ２５、孔あきミラー２２の開口部、撮影絞り３１、フォーカシングレンズ３２、結像レンズ３３を経て、二次元撮像素子３５に結像される。
【００１６】
＜スプリット指標投影光学系＞  スプリット指標投影光学系４０は、赤外光源４１、スリット指標板４２、スリット指標板４２に取り付けられた２つの偏角プリズム４３、投影レンズ４７、照明光学系１０の光路に斜設されたスポットミラー４４を備える。スポットミラー４４はレバー４５の先端に固着されていて、通常は光軸に斜設されるが、撮影時にはロータリーソレノイド４６の軸の回転で、光路外に退避させられる。なお、スポットミラー４４は被検者眼Ｅの眼底と共役な位置に配置される。光源４１、スリット指標板４２、偏角プリズム４３、投影レンズ４７、スポットミラー４４及びレバー４５は、フォーカシングレンズ３２と連動して駆動機構４９により光軸方向に移動される。
【００１７】
また、スプリット指標投影光学系４０のスリット指標板４２の光束は、偏角プリズム４３及び投影レンズ４７を介してスポットミラー４４により反射された後、リレーレンズ２１、孔あきミラー２２、ダイクロイックミラー２４、対物レンズ２５を経て被検者眼Ｅの眼底に投影される。眼底のフォーカスが合っていないとき、スリット指標板４２の指標像は分離され、フォーカスが合っているときに一致（合致）して投影される。そして、被検者眼Ｅの眼底上に投影されたスプリット指標像（後述するスプリット指標像Ｓ１，Ｓ２）は、眼底観察用の撮像素子３８によって眼底と共に撮像される。
【００１８】
＜アライメント指標投影光学系＞  アライメント指標投影光学系５０は、撮影光軸Ｌ１を中心とした同心円上に複数個の赤外光源が配置されており、撮影光軸Ｌ１を通る垂直平面を挟んで左右対称に配置された赤外光源５１とコリメーティングレンズ５２を持つ第１指標投影光学系（０度、及び１８０）と、第１指標投影光学系とは異なる位置に配置され複数の赤外光源５３を持つ第２指標投影光学系とを備える。この場合、第１指標投影光学系は被検者眼Ｅの角膜に無限遠の指標を左右方向から投影し、第２指標投影光学系は被検者眼Ｅの角膜に有限遠の指標を上下方向もしくな斜め方向から投影する。
【００１９】
＜前眼部観察光学系＞  前眼部観察光学系６０は、ダイクロイックミラー２４の反射側に配置され、二次元撮像素子６５によって前眼部照明光源５８で照明された前眼部とアライメント指標が撮像される。なお、二次元撮像素子６５で撮像された前眼部像からは被検者眼の瞳孔形状が得られる。また、アライメント指標投影光学系５０が持つ光源の点灯により、アライメント用光束による角膜反射光が二次元撮像素子６５で検出される。二次元撮像素子６５の出力が制御部８０に入力されると、モニタ８には前眼部像ＡＥが表示される（図４参照）。なお、前眼部観察光学系６０は、被検者眼に対する装置本体のアライメント状態を検出する役割を兼用している。
【００２０】
＜固視標呈示光学系＞  固視標呈示光学系７０は、図示を略す赤色の可視光源と、複数の開口部が形成された遮光版は表示制御で開口部の形成位置が切換えられる液晶ディスプレイ等の固視標切換部材とを備え、固視標切換部材の遮光版の開口部が可視光源の前に選択的に配置されることで、光軸Ｌ２に対して異なる位置に固視標が呈示されるようになっている。これにより、眼底中心部を撮影する標準撮影と眼底周辺部を撮影する周辺撮影とで固視標の呈示位置が変更される。
【００２１】
＜制御系＞  制御部８０には、二次元撮像素子３５、３８、６５、ジョイスティック４、駆動部６、モニタ８、フォーカスノブ９、挿脱機構３９、駆動機構４９、挿脱機構６６、記憶手段としてのメモリ８５、各光源等が接続されている。なお、メモリ８５には、インジケータを用いたフォーカス調節に必要となる様々な情報（フォーカス用情報）が予め記憶されている。フォーカス用情報としては、例えば、スプリット指標が合致されたとする撮像素子３８上の位置情報（以下、基準位置と記す）や、スプリット指標の分離量と駆動機構４９の駆動量（フォーカシングレンズ３２の位置）との対応関係を決めるための情報、スプリット指標の分離量とインジケータの表示状態との関係を定める情報（又は駆動機構４９の駆動量とインジケータの表示状態との関係を定めるための情報）等が記憶されている。なお、スプリット指標が合致されたとする基準位置は、例えば、正視眼に対して撮影光学系が適正なアライメント、及びフォーカスが行われた状態にあるときに、設計情報が既知である各光学系を考慮して一対のスプリット指標が合致するとされる撮像素子３８上の位置が基準位置として記憶されていればよい。
【００２２】
また、制御部８０は各二次元撮像素子３５、３８、６５からの入力信号によりモニタ８に前眼部像又は眼底観察像（撮影像）を表示させる制御を行うと共に、各種検出処理を行う。例えば、制御部８０は二次元撮像素子６５で撮像された前眼部画像からアライメント指標を検出処理すると共に、瞳孔形状を検出する（なお、瞳孔形状からその中心位置（瞳孔中心）を求めるようにしても良い）。また、制御部８０は、撮像素子６５の撮影信号に基づいて被検者眼に対する装置本体３のアライメント偏位量を検出する。また、制御部８０は、被検者眼Ｅの前眼部像ＡＥが表示されたモニタ８の画面上（図４参照）において、レチクルＬＴを電子的に形成して表示させると共に、検出されたアライメント偏位量に応じて表示位置が移動されるアライメント指標Ａ１を電子的に形成して合成表示させる。
【００２３】
また、制御部８０は、二次元撮像素子３８で撮像されたスプリット指標像と眼底画像をモニタ８に表示させると共に、スプリット指標の合致状態（分離状態）に基づき生成した電子的なインジケータの表示制御を行う。更に、制御部８０は、メモリ８５に記憶されているフォーカス情報に基づき、オートフォーカスの際には、撮像素子３８で得られるスプリット指標像の分離量から駆動機構４９を駆動させ、スプリット指標が合致するようにフォーカシングレンズ３２及びスポットミラー４４（レバー４５を含む）を光軸上で一体的に移動させる制御を行う。そして、スプリット指標の分離量に応じたインジケータ状態をモニタ８に表示させるようにする。一方、マニュアル操作（手動操作）の場合には、フォーカスノブ９の回転操作によって駆動機構４９が駆動されることで、フォーカシングレンズ３２及びスポットミラー４４が光軸上で移動される。これにより、モニタ８に表示されるスプリット指標の表示位置（分離状態）が変わるので、制御部８０は撮像素子３８にて検出されるスプリット指標像の分離量を随時検出することで、その分離量に応じたインジケータ状態をモニタ８に表示させる制御を繰り返し行う。なお、このような制御は分離された一対のスプリット指標が両方とも検出されている必要はなく、少なくとも一方のスプリット指標の分離位置が撮像素子３８で検出されていれば、予め求められている基準位置との関係（フォーカス状態）が把握できる。
【００２４】
次に、以上のような構成を備える眼底カメラの動作を説明する。ここでは、検者による手動でフォーカス合わせを行うマニュアルフォーカスモードが設定されている場合を例に挙げて説明する。また、ここでは、オートアライメントが設定され、固視標の呈示位置が、眼底の中央位置（後極部位）が撮影するように設定されているとする。
【００２５】
例えば、被検者眼が白内障等で混濁している場合等、オートフォーカスが行えない場合には、マニュアル操作でのフォーカス調整が行われる。しかし、従来のマニュアル操作によるフォーカス調整では、検者の観察によって一対のスプリット指標が合致しているか否かを判断する。しかし、スプリット指標の重なり程度（合致程度）の判断は、検者によってばらつく可能性が高い。そこで、本実施形態ではスプリット指標の合致状態を客観的に示すインジケータを用いることで、スプリット指標が合致しているか否かを一義的に判断できるようにする。このようにすると、個人差によらず、精度良くフォーカス調節ができるようになる。
【００２６】
まず、被検者の顔を顔支持ユニット５で支持した状態で、ジョイスティック４の操作で撮影部３が被検者眼Ｅに近づくように移動台２を移動させる。そして、固視標呈示光学系７０を点灯させて被検者眼を固視させる。また、検者はジョイスティック４の操作で、前眼部像ＡＥがモニタ８に表示されるように、撮影部３を三次元方向に移動させる。前眼部像ＡＥがモニタ８に現れるようになると、アライメント指標像もモニタ８に表示されるようになる。
【００２７】
ここで、図４にモニタ８に表示された前眼部像ＡＥの例を示す。なお、図４（ａ）にアライメントが合っていない状態、図４（ｂ）にアライメントが合っているときの状態が示されている。被検者眼の角膜上に投影されたアライメント指標像が撮像素子６５で検出されると、制御部８０は、撮像素子６５からの撮像信号に基づいて被検者眼に対する撮影部３のアライメント偏位量を検出する。具体的には、制御部８０は、リング状に投影された指標像Ｍａ〜Ｍｈによって形成されるリング形状の中心のＸＹ座標を略角膜頂点（アライメント基準位置）として検出してアライメント指標Ａ１を表示させる、また、予め撮像素子６５上に設定されたＸＹ方向の基準となる位置（例えば、撮像素子６５の撮像面と撮影光軸Ｌ１との交点）にレチクルＬＴを表示させるとともに、アライメント指標Ａ１とレチクルＬＴとの偏位量を求める。そして、無限遠の指標像Ｍａ，Ｍｅの間隔と、有限遠の指標像Ｍｈ，Ｍｆの間隔とを比較することでＺ方向のアライメント偏位量を求める。
【００２８】
本実施形態では、制御部８０は、レチクルＬＴとアライメント指標Ａ１が合致するように、三次元方向のアライメント偏位量が所定のアライメント許容範囲を満たすように撮影部３を移動させ、三次元方向のアライメントの合致状態を判定する。なお、差動距離方向のアライメントは、モニタ８に表示されるインジケータＧの本数の増減により確認することができる。そして、検者は、図４（ｂ）に示すように、インジケータＧの本数が１本となるようにジョイスティック４の操作で作動距離方向の位置合わせを行う。
【００２９】
以上のようにアライメント状態が完了したら、制御部８０は眼底に対するフォーカス調節を行う。ここで、図５にモニタ８に表示される眼底像Ｆの例を示す。なお、図５（ａ）にフォーカスが合致していない状態、図５（ｂ）にフォーカスが合致した状態が示されている。なお、理解を助けるために、撮像素子上の所定位置に設定されている基準位置に対応したモニタ８上の表示位置を基準位置Ｄとして便宜上形成しておく。
【００３０】
図５に示すように、モニタ８上に、撮像素子３８で撮像された眼底像Ｆとスプリット指標Ｓ１，Ｓ２が表示されると、制御部８０は、前述した基準位置Ｄに対する各スプリット指標Ｓ１，Ｓ２の基準位置Ｄからのずれ量（或いは分離量）を撮像素子３８からの信号により求める（検出する）。なお、本実施形態ではスプリット指標Ｓ１，Ｓ２はモニタ８の画面上で左右方向に移動（分離）されるようになっている。また、制御部８０は、２つのスプリット指標Ｓ１，Ｓ２を移動方向で見たときの表示位置関係から（例えば、設定された基準位置Ｄに対して各スプリット指標Ｓ１，Ｓ２が左右どちらに表示されているかを検出することで）、フォーカシングレンズ３２がフォーカスの合致位置に対してプラス方向にあるのか、マイナス方向にあるのかを求める。
【００３１】
例えば、図５（ａ）に示すように、スプリット指標Ｓ１が基準位置Ｄに対して紙面左側（スプリット指標Ｓ２が右側）に表示されている場合には、フォーカシングレンズ３２が適正なフォーカス位置よりプラス側にあるとする。一方、スプリット視標Ｓ１が基準位置Ｄに対して右側（スプリット指標Ｓ２が左側）に表示されている場合には、フォーカシングレンズ３２が適正なフォーカス位置よりマイナス側にあるとする。
【００３２】
次に、制御部８０は、モニタ８上に表示させる電子的なインジケータＩ（Ｉ１，Ｉ２）の制御を行う。インジケータＩはフォーカスが合っていることを示すインジケータＩ１と、フォーカスのずれ量、ずれ方向を定量的に示すインジケータＩ２の組合せからなる。本実施形態では、フォーカスのずれ量、及びずれ方向に応じて、インジケータＩ１を中心としてインジケータＩ２の表示本数を左右方向に増減させる表示制御を行っている。なお、本実施形態では、スプリット指標が合致したときのライン上（縦ライン）であって、レバー４５の投影像４５ａ上に縦長の矩形状のインジケータＩ１が形成されるものとしている。
【００３３】
ここで、図６にインジケータＩの拡大図を示す。例えば、フォーカスが適正とされておらず、フォーカシングレンズ３２がプラス側にある状態では、基準位置Ｄからのスプリット指標のずれ量（スプリット指標の分離量）に応じて、右方向に１本乃至複数本のインジケータＩ２を表示させる。一方、フォーカシングレンズ３２がマイナス側にある場合には、基準位置Ｄからのスプリット指標のずれ量に応じて左方向に１本乃至複数本のインジケータＩ２が表示されるようにする。これにより、検者はインジケータを用いてスプリット指標の分離状態を定量的に確認できるようになる。
【００３４】
なお、本実施形態では、スプリット指標Ｓ１，Ｓ２が分離状態にあるときのインジケータＩ２の表示本数は、基準位置Ｄからのスプリット指標Ｓ１，Ｓ２の表示位置までの距離（基準位置Ｄに対する指標のずれ量）に応じて決定されるようになっている。つまり、基準位置Ｄに対してスプリット指標Ｓ１（Ｓ２）が離れるに従って、インジケータＩ２の表示本数を増加する表示制御が行われる。なお、ここでは、インジケータＩ２の最大の表示本数は４本であるとする。
【００３５】
なお、このような、スプリット指標の分離量の算出方法は、スプリット指標Ｓ１，Ｓ２の検知状態に応じて使い分けられても良い。例えば、撮像素子３８で２つのスプリット指標Ｓ１，Ｓ２が検知される場合には、２つのスプリット指標の中心間距離に基づき分離量が計算されるようにする。一方、スプリット指標Ｓ１，Ｓ２の一方のみが検知される場合には、上述したように、基準位置Ｄから検知されている側のスプリット指標の表示位置までの距離に応じて分離量が求められるようにしても良い。
【００３６】
検者はモニタ８に表示されるインジケータを見ながらインジケータＩ１に対するインジケータＩ２の表示方向に対応させて、インジケータＩ２の表示がなくなるように（インジケータＩ１のみの表示となるように）フォーカスノブ９を回転させる。本実施形態では、フォーカスノブ９が時計回り（図２に示す矢印Ａ方向）に回転されると、フォーカシングレンズ３２がプラス側へ移動され、それに応じてスポットミラー４４がフォーカシングレンズ３２と一体的に光軸方向に移動する。フォーカスノブ９が反時計回り（矢印Ｂ方向）に回転されると、フォーカシングレンズ３２がマイナス側へと移動され、それに応じてスポットミラー４４がフォーカシングレンズ３２と一体的に光軸方向に移動する。
このようなインジケータを用いることにより、フォーカス状態を客観的に判断することができ、検者によらず好適なフォーカス状態が得られることとなる。
【００３７】
なお、スプリット指標Ｓ１，Ｓ２が合致した状態で表示されるインジケータＩ１の表示状態（形状、色等）と、合致していない状態で表示されるインジケータＩ２との表示状態を変えると、検者にとって合致状態がより視覚的に分かり易くなる。例えば、インジケータＩ１に対してインジケータＩ２の大きさや色を変えることにより、インジケータの判別をより行い易くすることができる。
【００３８】
なお、本実施形態ではスプリット指標Ｓ１，Ｓ２がモニタ８の画面上で左右方向に移動される例を説明したが、これに限るものではなく、スプリット指標の分離方向に合わせたインジケータの増減の表示制御が行われていれば、より好ましい。例えば、スプリット指標Ｓ１，Ｓ２の分離状態がモニタ８の画面上で上下方向に移動される場合には、上述したインジケータＩ１を９０°回転させて横長の矩形状のインジケータ表示とし、インジケータＩ２の表示もそれに合わせてモニタ８上で上下方向に増減されるようにする。
【００３９】
また、眼底観察のために赤外光が照明されている状態では、スプリット指標を撮像素子にて検出し難い場合がある。このような場合には、前眼部観察のためにモニタ８に前眼部観察像が表示されているときに、始めから眼底照明光学系による眼底照明を消した状態で（或いは、スプリット指標像が検出可能な程度の眼底の照明状態で）眼底にスプリット指標を投影し、撮像素子３８によりスプリット指標像の分離量（基準位置からのずれ量）を前眼部観察時に予め検出しておけばよい。なお、このような検出は、前眼部におけるアライメントが完了し、モニタ８に表示される観察画像が前眼部から眼底に移るタイミングで行うことが好ましい。
【００４０】
制御部８０は前眼部観察時に検出したスプリット指標の分離量（検出結果）に基づいて、眼底観察画面に切換えた後に表示される眼底観察画面にインジケータの表示を行えばよい。また同時に検出結果とフォーカス合わせに必要なフォーカシングレンズ３２の移動量とを予め対応付けておき、眼底観察時にはフォーカシングレンズの移動（駆動機構４９の駆動量）に基づいてインジケータの表示を適宜変更すればよい。このような制御を行うことにより、観察用の照明光によって眼底が明るくスプリット指標が検出され難い場合であっても、手動操作により好適にフォーカス合わせを行うことが可能である。
【００４１】
なお、上記では検者によるマニュアル操作にてフォーカス調節を行う例が示されているが、例えば、オートフォーカスにてフォーカス調節を行う場合にも、モニタ８上に表示される光学的なスプリット指標等の表示状態が確認しにくくなっている可能性もある。この場合にも、上述したようなインジケータが表示されることで、検者はスプリット指標の合致状態を確認し易くなる。
【００４２】
また、本実施形態ではインジケータがモニタの眼底上に表示される例が示されているが、これに限られるものではない。モニタ８に表示された眼底の周辺に（眼底像に重ねずに）にインジケータが表示されるようにしても良い。なお、この場合にも、インジケータの増減方向とフォーカスノブの操作方向とを合わせることで、検者はインジケータを用いて容易にフォーカス調節を行えるようになる。
【図面の簡単な説明】
【００４３】
【図１】眼底カメラの外観構成の説明図である。
【図２】操作パネルの構成の説明図である。
【図３】眼底カメラの光学系及び制御系の概略構成図である。
【図４】モニタに表示される前眼部像の例である。
【図５】モニタに表示される眼底の例である。
【図６】インジケータの拡大図である。
【符号の説明】
【００４４】
８  モニタ
９  フォーカスノブ
１０  照明光学系
１１  赤外光源
３０  眼底観察・撮影光学系
３５、３８、６５  二次元撮像素子
４０  スプリット指標投影光学系
４１  光源
４９  駆動機構
５８  前眼部照明光源
６０  前眼部観察光学系
８０  制御部
８５  メモリ
【図１】
0005772070.tif 000002
【図２】
0005772070.tif 000003
【図３】
0005772070.tif 000004
【図４】
0005772070.tif 000005
【図５】
0005772070.tif 000006
【図６】
0005772070.tif 000007